(57)【要約】      （修正有）【課題】設置、保守、交換に便利で、耐用年数が長く、絡まり防止機能を実現するジョイントアセンブリとジョイントアセンブリを備えたシャワーを提供する。【解決手段】ジョイントアセンブリは、ソケット１と、マンドレル３と、接続柱４と、を備え、ソケット１とマンドレル３には、接続穴が設けられ、接続柱４の一端には、接続穴よりも大きな制限構造が設けられ、接続柱４は、ソケット１とマンドレル３とのいずれか一方から、ソケット１とマンドレル３を通過し、他方において、ファスナーによってソケット１とマンドレル３とを回転可能に接続する。【選択図】図１
0003232097.tif 000002
【実用新案登録請求の範囲】
【請求項１】
ソケットと、マンドレルと、接続柱と、を備え、
前記ソケットと前記マンドレルには、接続穴が設けられ、
前記接続柱の一端には、前記接続穴よりも大きな制限構造が設けられ、
前記接続柱は、前記ソケットと前記マンドレルとのいずれか一方から、前記ソケットと前記マンドレルを通過し、他方において、ファスナーによって前記ソケットと前記マンドレルとを回転可能に接続することを特徴とする、ジョイントアセンブリ。
【請求項２】
前記ソケットは、受容部と、アダプタ部と、を備え、
前記接続穴は、前記受容部および前記アダプタ部を貫通し、
前記受容部は、前記マンドレルに嵌合接続されることを特徴とする、請求項１に記載のジョイントアセンブリ。
【請求項３】
アダプターをさらに備え、
前記アダプターと前記アダプタ部との間は、雌ねじと雄ねじの固定方式によって嵌合接続され、嵌合する箇所には、第１のシールリングが設けられ、
前記アダプターには、ホースジョイントと嵌合する雌ねじや雄ねじが設けられていることを特徴とする、請求項２に記載のジョイントアセンブリ。
【請求項４】
前記受容部には、前記マンドレルと嵌合する第１の溝が設けられ、
前記マンドレルと前記第１の溝との嵌合する箇所には、第２のシールリングが設けられ、
前記第２のシールリングはＹ型シールリングであることを特徴とする、請求項２に記載のジョイントアセンブリ。
【請求項５】
前記接続柱が中空構造であり、
前記中空構造の内には、雌ねじが設けられ、
前記ソケットと前記マンドレルは、ボルトと前記雌ねじの固定方式によって回転可能に接続されていることを特徴とする、請求項１に記載のジョイントアセンブリ。
【請求項６】
前記接続柱は、Ｔ型の軸方向断面を有する銅柱であることを特徴とする、請求項１または５に記載のジョイントアセンブリ。
【請求項７】
前記アダプタ部には、第２の溝が設けられ、
前記第２の溝は、前記接続穴と同軸に設けられ、
前記第２の溝の内径は、前記接続穴の内径よりも大きく、
前記第２の溝の底部側壁には、前記受容部を貫通している複数の第１の貫通穴が、側壁円周に沿って肉厚方向に間隔を置いて設けられていることを特徴とする、請求項２に記載のジョイントアセンブリ。
【請求項８】
前記マンドレルの内には、前記接続穴よりも大きく、前記接続穴と同軸に設置する第３の溝が設けられ、
前記第３の溝の底部側壁には、前記マンドレルの底部を貫通している複数の第２の貫通穴が、側壁円周に沿って肉厚方向に間隔を置いて設けられていることを特徴とする、請求項７に記載のジョイントアセンブリ。
【請求項９】
装飾リングをさらに備え、
前記装飾リングの内壁には、制限突起が設けられ、
前記ソケットは、前記装飾リング内に設けられ、
前記制限突起を収容する領域は、前記アダプターと前記ソケットが嵌合した後に形成されていることを特徴とする、請求項３に記載のジョイントアセンブリ。
【請求項１０】
本体と、請求項１〜９のいずれか一項に記載のジョイントアセンブリと、を備え、
前記マンドレルは、前記本体に埋め込まれ、
前記本体のキャビティ内部に設けられ、順次に固定嵌合されるトップカバーと、ミキシングチャンバーと、パネルと、を更に備え、
前記ミキシングチャンバーの端は、前記マンドレルに気密接続している、シャワー。
【考案の詳細な説明】
【技術分野】
【０００１】
本考案は、バスルーム製品の分野に関し、特に、ジョイントアセンブリとシャワーに関するものである。
【背景技術】
【０００２】
従来のホースの両端は固定されているため、使用時に絡まりやすく、長期間の絡みはホースの耐用年数に影響を与えるだけでなく、ユーザーの不便にもなる。
現在、市場に出回っているほとんどの絡まり防止ホースやジョイントは、それに接続されているホースが自由に回転できるように、複雑なネスト式ジョイント構造を通じてホースの絡まり防止機能が実現する。
また、複雑なため、水漏れしやすく、耐用年数が短く、ジョイントは一般的にホースに組み込まれて、破損後は修理できなく、交換できるのはホース全体のみで、ユーザーに大きな不便を加える。
【考案の概要】
【０００３】
本考案は、従来の絡まり防止ジョイントにおける構造が複雑で、水漏れが発生しやすく、耐用年数が短く、修理が困難であるという従来の技術的問題を解決するためのジョイントアセンブリとシャワーとを提案する。
【０００４】
本考案の一態様によれば、ソケットと、マンドレルと、接続柱と、を備え、ソケットとマンドレルには、接続穴が設けられ、接続柱の一端には、接続穴よりも大きな制限構造が設けられ、接続柱は、ソケットとマンドレルとのいずれか一方から、ソケットとマンドレルを通過し、他方においてファスナーによってソケットとマンドレルとを回転可能に接続するジョイントアセンブリが提案される。
マンドレルとソケットは、接続柱を介して内側から接続されているため、ソケットが接続柱の周りを回転することができ、両方の相対回転的な接続が実現できる。
【０００５】
好ましくは、ソケットは、受容部と、アダプタ部と、を備え、接続穴は、受容部およびアダプタ部を貫通し、受容部は、マンドレルに嵌合接続される。
このような構成により、アダプタ部を介してホースと接続することができるため、ホースが受容部に追従して回転可能にマンドレルと嵌合接続することができる。
【０００６】
さらに好ましくは、アダプターをさらに備え、アダプターとアダプタ部との間は、雌ねじと雄ねじの固定方式によって嵌合接続され、嵌合する箇所には、第１のシールリングが設けられ、アダプターには、ホースジョイントと嵌合する雌ねじと雄ねじが設けられている。
このような構成により、アダプターとソケットとの間の気密性を確保し、雌ねじと雄ねじを介してホースや他のパイプラインとの接続が迅速に実現できる。
【０００７】
さらに好ましくは、受容部には、マンドレルと嵌合する第１の溝が設けられ、マンドレルと第１の溝との嵌合する箇所には、第２のシールリングが設けられ、第２のシールリングはＹ型シールリングである。
第１の溝とマンドレルとの間の嵌合関係により、ソケットとマンドレルとの間の気密性を確保しながら、受容部がマンドレル上で安定して回転することができる。Ｙ型シールリングを使用することで摩擦抵抗を低減でき、ソケットとマンドレルとの間の相対的な動きが安定していることを確保できる。
【０００８】
好ましくは、接続柱が中空構造であり、中空構造の内には、雌ねじが設けられ、ソケットとマンドレルは、ボルトとめねじの固定方式によって回転可能に接続されている。
ボルトの固定接続方式は、設置、保守、交換に便利である。
【０００９】
さらに好ましくは、接続柱は、Ｔ型の軸方向断面を有する銅柱である。
銅柱を使用することにより、回転構造全体の耐摩耗性が向上し、耐用年数が長くなる。
【００１０】
さらに好ましくは、アダプタ部には、第２の溝が設けられ、第２の溝は、接続穴と同軸に設けられ、第２の溝の内径は、接続穴の内径よりも大きく、第２の溝の底部側壁には、受容部を貫通している複数の第１の貫通穴が、側壁円周に沿って肉厚方向に間隔を置いて設けられいてる。
この溝の構成により、ファスナーによる固定が容易になる。また、複数の第１の貫通穴の構成により、水流をスムーズに通過させることができる。
【００１１】
さらに好ましくは、マンドレルの内には、接続穴よりも大きく、接続穴と同軸に設置する第３の溝が設けられ、第３の溝の底部側壁には、マンドレルの底部を貫通している複数の第２の貫通穴が、側壁円周に沿って肉厚方向に間隔を置いて設けられいてる。
当該貫通穴と受容部の貫通穴は、水流が流れるための水入口流路を形成する。
【００１２】
さらに好ましくは、装飾リングをさらに備え、装飾リングの内壁には、制限突起が設けられ、ソケットは、装飾リング内に設けられ、制限突起を収容する領域は、アダプターとソケットが嵌合した後に形成されている。
このような構成により、装飾リングをソケットの外側に取り付けることができ、ジョイントアセンブリがより美しくなる。
【００１３】
本考案の第２の態様によれば、本体と、上述したようなジョイントアセンブリと、を備え、マンドレルは、本体に埋め込まれ、本体のキャビティ内部に設けられ、順次に固定嵌合されるトップカバーと、ミキシングチャンバーと、パネルとを更に備え、ミキシングチャンバーの端は、マンドレルに気密接続しているシャワーが提案される。
ジョイントアセンブリが設けられることにより、シャワーが通常のホースに接続することができ、ホースがソケットに追従して回転でき、ホースのねじれや絡まりの発生を回避できる。
【００１４】
本考案のジョイントアセンブリは、ソケットとマンドレルとを、内側から接続柱で回転可能に接続し、外部ホースがアダプターを介してソケットに接続し、絡まり防止機能が実現できる。
マンドレルとソケットの中央接続穴周辺には、貫通する貫通穴が間隔を置いて設けられ、給水経路を通過させることができる。
さらに、シャワーに当該ジョイントアセンブリを適用し、通常のホースを接続することだけで、絡まり防止機能が実現できる。
【図面の簡単な説明】
【００１５】
図面は、実施形態のさらなる理解を提供するために含まれ、本明細書に組み込まれ、本明細書の一部を構成する。
図面は実施形態を示し、説明とともに本考案の原理を説明するためである。
以下の詳細な説明を引用することによって、他の実施形態および実施形態の多くの期待される利点がよりよく理解されるようになるので、この他の実施形態および実施形態の多くの期待される利点を認識することは容易である。
図面の要素は、必ずしも互いに比例しているとは限らない。
同じ参照番号は、対応する同様のコンポーネントを参照する。
【図１】本考案の実施形態によるジョイントアセンブリの断面図である。
【図２】本考案の特定の実施形態によるソケットの概略断面図である。
【図３】本考案の実施形態によるシャワーの分解図である。
【図４】本考案の特定の実施形態によるシャワーの断面図である。
【図５】本考案の別の実施形態によるシャワーの水路の概略断面図である。
【考案を実施するための形態】
【００１６】
以下の詳細な説明では、添付の図面を参照する。
図面は、詳細な説明の一部を形成し、本考案を実施することができる例示的な特定の実施形態を通じて示される。
この点に関して、「トップ」、「底部」、「左」、「右」、「上」、「下」などの方向用語は、説明された図面の向きを参照して使用される。
実施形態の構成要素はいくつかの異なる方向に設けられるので、方向用語は説明の目的で使用され、決して限定するものではない。
他の実施形態を利用すること、または、論理的な変更を行うことが、本考案の範囲から逸脱することなく実現できることを理解されたい。
したがって、以下の詳細な説明は、限定的な意味で使用されるべきではない。本考案の範囲は、添付の特許請求の範囲によって定義される。
【００１７】
図１は、本考案の特定の実施形態によるジョイントアセンブリの断面図を示す。
図１に示されるように、ジョイントアセンブリは、ソケット１、アダプター２、マンドレル３、接続柱４を備え、ここで、ソケット１、アダプター２、マンドレル３は、すべて中空円筒構造であり、アダプター２はソケット１に固定接続されており、接続柱４の一端には、中空構造よりも大きい制限部が設けられ、中空構造を通過させ中空構造から脱落しないようにする。
ソケット１とマンドレル３は、接続柱４を介して内側からファスナーで接続固定され、接続されたアダプター２とソケット１が接続柱４の周りを自由に回転することができるようになる。当該回転可能なジョイント接続構造は、内部の接続柱４を介してソケット１とマンドレル３とを接続することで、ソケット１が自由に回転し、アダプター２が接続しようとするホースに接続され、ホースの絡まり防止機能が実現される。また、当該ジョイントアセンブリは、構造が簡単で、メンテナンスや交換に便利であり、接続柱４が摩耗した場合でも、それを交換するだけで使い続けることができ、ジョイントアセンブリの耐用年数が大幅に延びる。
【００１８】
特定の実施形態では、ソケット１は、段付きシャフト構造である。
ソケット１は、図２に示される本考案の特定の実施形態によるソケットの断面図を参照すれば、大きな直径を有する受容部１１と小さな直径を有するアダプタ部１２とを備える。ソケット１は、その内に中空の段穴が設けられ、アダプタ部１２の第２の溝１３と接続穴１４とを含める。第２の溝１３の内径は接続穴１４の内径よりも大きい。アダプタ部１２の外面には、ホースのジョイントの雌ねじと嵌合するための雄ねじが設けられ、雄ねじの端には、アダプタ部シールリング１７を収容するための溝も設けられ、ホースのジョイントと接続するときの気密性を保証することができるようになる。
複数の第１の貫通穴１５が第２の溝１３の底部側壁に設けられ、第１の貫通穴１５は、第２の溝１３の底部の円周方向に沿って接続穴１４から離れる方向に設けられ、受容部１１の底部まで貫通する。アダプタ部１２の反対側の受容部１１の一端面には、マンドレル３と嵌合してそれがより安定して回転することを可能にするための第１の溝１６が設けられる。
【００１９】
特定の実施形態では、マンドレル３は、受容部１１の内部中空構造に類似しており、中空の段穴構造も設けられ、接続柱４が通過するために、接続穴１４と同様な貫通穴がソケット１との嵌合端側に設けられ、接続穴１４よりも大きい内径を有する第３の溝３２も内側にある。第３の溝３２の底部側壁には、複数の第２の貫通穴３１が設けられ、第２の貫通穴３１は、第３の溝３２の底部の円周方向に沿って接続穴１４から離れる方向に設けられ、マンドレル３の底部まで貫通する。
マンドレル３の一端は、第１の溝１６と対応的に嵌合する。この嵌合方法は、ソケット１を径向に制限し、回転中の偏りを回避し、より安定的な回転を実現できる。同時に、第１の溝１６と対応的に嵌合するマンドレル３の一端には、シールリングを置くための溝構造が設けられ、嵌合時に、シールリングを置くすることで、両方の間の気密性を確保する。好ましくは、このシールリングはＹ型シールリングとする。これにより、回転の安定性を確保しながら、ソケットが回転するときの摩擦抵抗を低減することができる。
【００２０】
特定の実施形態では、接続柱４は、円筒構造であり、外径が接続穴１４の内径と同等またはわずかに小さい。接続柱４の軸に沿った断面は「Ｔ」型構造である。接続柱４は、中空構造であり、内部に、固定接続するための雌ねじが設けられ、ヘッド部のサイズが大きいため、マンドレル３と受容部１１の接続穴１４を通過し、ヘッド部により接続穴１４の端面で固定することができる。
接続柱４の長さは、マンドレル３内の貫通穴と受容部１１の接続穴１４の長さの合計よりわずかに長く、これにより、接続柱４は、マンドレル３内の底部の貫通穴と受容部１１の接続穴１４を通過するときに、受容部１１の接続穴１４の端面から突出することができるようになる。
受容部１１の端は、ボルト５や他のファスナーよって接続穴１４のめねじと固定接続されている。
ボルト５のヘッド部のサイズは、接続柱４の外径よりも大きい。
受容部１１の端の接続柱４は、ワッシャー８で覆われている。ワッシャー８を設けることにより、ボルト５が緩むのを防ぐことができる。好ましくは、接続柱４は、銅柱や他の耐摩耗性材料による柱構造とすることで、より優れた耐摩耗性を有し、その耐用年数を延ばすことができる。他の実施形態では、接続柱４は、ソケット１の端から接続穴１４に挿入し、マンドレル３の端にボルト５で固定することもできる。この場合、本考案の技術的効果も達成できるが、ソケット１の端に設けることは、取付けやメンテナンスに便利である。
【００２１】
特定の実施形態では、マンドレル３とソケット１は、ボルト５および接続柱４によって回転可能に接続される場合において、マンドレル３とソケット１の内の相対的に貫通する複数の第１の貫通穴１５と第２の貫通穴３１は、両方が互いに回転するときに、ほとんどの貫通穴が常に連通状態にあり、その結果、それらが回転するときに水が通過することができる。
【００２２】
装飾リング７を更に備える。装飾リング7は、中空のリング構造であり、ソケット１とアダプター２が露出するのを防ぎ、ジョイントアセンブリ全体の美観を向上させるために、ソケット１とアダプター２を覆う。
装飾リング７の内部には、装飾リング７の中央に設けられた制限突起７１が設けられている。
ソケット１は、装飾リング７の一側に設けられ、他側は、アダプター２とソケット１との接続で形成られる凹部によって制限突起７１を収容する。この部分の構造図については、図５のシャワーの部分断面概略図を参照されたい。
別の実施形態では、制限構造が装飾リング７の一端に設けられ、ソケット１とマンドレル３との接続嵌合により、制限構造を収容するための凹部が形成され、装飾リング７がソケット１の外部に回転可能に設けられることも可能になる。
【００２３】
図３を参照し続けると、図３は、本考案の実施形態によるシャワーの分解図を、図４に示されるシャワーの断面図と組み合わせて示す。
シャワーは、上述した図面に示すジョイントアセンブリを備え、上主体９１と下主体９２とを更に備える。
上主体９１と下主体９２が嵌合してシャワーの主構造を形成し、そのヘッド部のキャビティには、水出口構造を構成するトップカバー９３と、ミキシングチャンバー９４と、フェースカバー９５とが順次に設けられる。
ジョイントアセンブリのマンドレル３は、シャワーの上主体９１と下主体９２とによって形成されるキャビティ内に固定設置する。マンドレル３、ソケット１、アダプター２は、順次に接続され、具体的な接続方式については、図１及び図２に示されており、ここでは省略する。
マンドレル３の一端は、ミキシングチャンバー９４の端と嵌合して接続され、マンドレルシールリング３２によってシールされる。
アダプター２とソケット１は、固定的に連結された後、マンドレル３の周りを回転することができる。ボルト５とワッシャー８とＹ型シールリング６は回転しない。このようなシャワー構造は、アダプター２とソケット１とが、マンドレル３の周りを自由に回転でき、ホースを接続した後、ホースジョイントシールリング２１でシールされ、絡まり防止機能が実現し、耐用年数が長く、交換や修理に便利である。
【００２４】
上述したようなシャワー構造では、ジョイントアセンブリのソケット１、アダプター２、接続されたホースが第１の回転アセンブリを構成し、マンドレル３、上主体９１、下主体９２が第２の回転アセンブリを構成する。
第１の回転アセンブリと第２の回転アセンブリは、ボルト５、接続柱４、ワッシャー８で固定されている。相対的な回転のときに、点と面の接触摩擦によって回動する。また、上記の各部品は、相互摩擦回動の滑らかさを確保するために、自己潤滑効果の優れた材料とする。使用時は、第１の回転アセンブリを回転させることで、接続され絡まれたホースを調整できる。シャワーがウォールシートに設けられる場合は、第２の回転アセンブリを回転させることで、シャワーの水出口の方向を調整でき、従来のシャワーのように、シャワーとホースをウォールマウントから取り外して、角度を回転させて、ウォールマウントに取り付ける必要はない。
【００２５】
図５は、本考案の特定の実施形態によるシャワーの水路の概略断面図を示す。
図５に示されるように、アダプター２の中空構造、ソケット１の中空構造およびその上に設けられる第１の貫通穴１５、マンドレル３上の第２の貫通穴３１、マンドレル３上の中空構造は、水入口流路を形成する。
また、ソケット１が回転すると、その上の第１の貫通穴１５とマンドレル３における第２の貫通穴３１は、ほとんどが連通状態にあり、ジョイントの水入口面積を確保でき、流量やスプラッシュ効果に影響を与えることはない。また、Ｙ型シールリング６により、水路をシールすることにより、回転中の抵抗が大幅に減少し、消費者のエクスペリエンスが大幅に向上することができる。
【００２６】
明らかに、本技術分野の当業者は、本考案の実施形態に、様々な修正および変更を、本考案の精神および範囲から逸脱することなく加えることができる。このように、これらの修正および変更が本考案の特許請求の範囲およびそれらの同等物内にある場合、本考案はこれらの修正および変更をカバーすることを意図する。
「備える」という用語は、クレームに記載されていない他の要素またはステップの存在を排除するものではない。
いくつかの手段が、相互に異なる従属請求に記載されていることは、これらの手段の組み合わせが利益のために使用できないことを示すものではない。クレーム内の参照記号は、範囲を制限するものと見なされるべきではない。
【図１】
0003232097.tif 000003
【図２】
0003232097.tif 000004
【図３】
0003232097.tif 000005
【図４】
0003232097.tif 000006
【図５】
0003232097.tif 000007